(57)【要約】  【課題】二つ以上の縫い目で構成される脇部分に発生しやすい縫い目シワが少ない高品位の衣服を提供すること。  【解決手段】腰回りの寸法が、胸周りの寸法または裾周りの寸法より小さくなるように構成され、且つ前身頃と後身頃とを縫い合わせる脇部分が二つ以上の縫い目を有する衣服において、脇部分の表側に折り重ねられた当該両身頃のいずれか一方の生地端が、脇下から脇裾にかけて直線に裁断されていることを特徴とする衣服。【選択図】図１
2004339679.tif 000002
【特許請求の範囲】
【請求項１】
腰回りの寸法が、胸周りの寸法または裾周りの寸法より小さくなるように構成され、且つ前身頃と後身頃とを縫い合わせる脇部分が二つ以上の縫い目を有する衣服において、脇部分の表側に折り重ねられた当該両身頃のいずれか一方の生地端が、脇下から脇裾にかけて直線に裁断されていることを特徴とする衣服。
【請求項２】
腰回りの寸法が、胸周りの寸法および裾周りの寸法それぞれより小さいことを特徴とする請求項１記載の衣服。
【発明の詳細な説明】
【技術分野】
【０００１】
本発明は、腰回りの寸法が、胸周りの寸法および裾周りの寸法より小さくなるように構成され、且つ前身頃と後身頃とを縫い合わせる脇部分が二つ以上の縫い目で構成された衣服に関するものである。
【背景技術】
【０００２】
従来、衣服の寸法はそれを着用する人間の人体寸法にならい、胸周り寸法や裾周り寸法は腰回り寸法より大きく作られている。すなわち、衣服を平面に無理なく広げたとき、衣服の脇部分の形状が、腰のあたりで内側にくった曲線となるように、図２のように、脇部分Ｗを内側にくった曲線で構成することが通常である。
【０００３】
こうした衣服の脇部分Ｗを二つ以上の縫い目で縫い合わせた時、たとえば、図３に示すような縫い目で構成した場合、内側へ折り返される生地端は、生地端が折り重なる部分の長さに比べて短くなる。すなわち、折り返した生地端がＡの方向に引きつれるかたちとなり、その結果、脇部分の表側に縫い目シワが発生しやすくなる欠点が生じる。
【０００４】
また、従来の衣服のように、衣服の脇部分の形状が、腰のあたりで内側にくった曲線で構成された衣服の脇部分を、二つ以上の縫い目で縫い合わせた場合、脇の脇下周辺および裾周辺の縫い目の方向が、衣服の垂直の方向に対してバイアス方向となるため、脇部分を縫い合わせる二つ以上の縫い目の間の生地の織糸の直行組織が変形し、二つ以上の縫い目の間に斜めのシワが発生しやすくなる欠点がある。
【０００５】
この問題を改善するため、アイロンやプレスで熱融着させるテープ部材を生地を折り重ねる部分に介在させ、縫い合わせた後のプレスでシワを潰して固着させる方法が提案されている。（たとえば特許文献１参照）。
【０００６】
しかしながら特許文献１の方法は、縫い目に発生する縮みシワを潰して隠すことができるものの、風合いが堅くなり、縫い目が潰れた感じの衣服となり見栄えが悪いという問題があった。また、縫い目シワを根本的に改善するものではなく、二つ以上の縫い目の間の生地の織糸の変形はそのまま残り、特にチェック柄やボーダー柄の生地では、見栄えが悪いという問題があった。
【特許文献１】特開平１１−２００１２７号公報（第１−２頁）
【発明の開示】
【発明が解決しようとする課題】
【０００７】
本発明の目的は、上記の従来技術の問題点を解決することにあり、二つ以上の縫い目で構成される脇部分に発生しやすい縫い目シワが少ない衣服を提供することにある。
【課題を解決するための手段】
【０００８】
本発明は、上記の課題を解決するため以下の構成を採用する。
【０００９】
すなわち本発明は、腰回りの寸法が、胸周りの寸法または裾周りの寸法より小さくなるように構成され、且つ前身頃と後身頃とを縫い合わせる脇部分が二つ以上の縫い目を有する衣服において、脇部分の表側に折り重ねられた当該両身頃のいずれか一方の生地端が、脇下から脇裾にかけて直線に裁断されている衣服である。さらに好ましい態様として腰回りの寸法が、胸周りの寸法および裾周りの寸法それぞれより小さいことを特徴とする前記の衣服である。
【発明の効果】
【００１０】
本発明によれば、二つ以上の縫い目で構成される脇部分に発生しやすい縫い目シワが少ない高品位の衣服が得られる。
【発明を実施するための最良の形態】
【００１１】
本発明の衣服は、腰回りの寸法が、胸周りの寸法および裾周りの寸法より小さくなるように構成され、且つ前身頃と後身頃とを縫い合わせる脇部分が二つ以上の縫い目を有する衣服において、脇部分の表側に折り重ねられた当該両身頃のいずれか一方の生地端が、脇下から脇裾にかけて直線に裁断されていることが必要である。
【００１２】
以下、本発明の衣服を図を用いて詳細に説明するが、本発明はこれらの実施態様に制限されるものではない。
【００１３】
図１は、本発明の衣服の前身頃の一態様を表す説明図である。また、図２は、従来の衣服の前身頃の一形態を表す説明図であり、腰回りの寸法が、胸周りの寸法および裾周りの寸法より小さくなるように構成された衣服である。
【００１４】
本発明において、胸周りの寸法とは、衣服の脇下点Ｗ１を通り、かつ水平方向の衣服の周りの寸法のことである。また、裾周りの寸法とは、衣服の脇裾点Ｗ２を通り、かつ水平方向の衣服の周りの寸法のことである。更に、腰回りの寸法とは、脇下点Ｗ１と脇裾点Ｗ２の間の任意の点を通り、かつ水平方向の衣服の周りの寸法で、最も短い寸法のことをいう。
【００１５】
また、本発明において、二つ以上の縫い目を有する脇部分としては、たとえば、図４〜図６に示すような地縫いＪの後でステッチＳを施すものであったり、あるいは図３に示すような複数のステッチを同時に施して、脇部分を縫い合わせたタイプのものを挙げることができる。
【００１６】
本発明の衣服が、例えば、図３に示すような脇部分の構造を有する場合においては、脇部分の表側に折り重ねられた前身頃Ｆが、脇下Ｗ１から裾Ｗ２にかけての間で直線に裁断されることが必要である。そうすることにより、前身頃の折り返された生地端と当該生地端が折り重なった部分の長さが同じ長さとなるため、折り返された生地端が引きつれることにより、表生地に発生する縮みシワを改善することができる。
【００１７】
脇部分の表側に折り重なる身頃は、前身頃であっても後身頃であっても良い。すなわち脇下Ｗ１から脇裾Ｗ２にかけて直線に裁断される身頃は、脇部分で表側になる身頃が前身頃の場合、前身頃となる。また、脇部分で表側になる身頃が後身頃の場合、脇下Ｗ１から脇裾Ｗ２にかけて直線に裁断される身頃は後身頃となるのである。
【００１８】
直線に裁断される脇部分Ｗと、衣服の垂直の方向（衣服を構成する生地のタテの地の目の方向）Ｃとのなす角度Ｒは、＋２度〜−２度の範囲とすることが好ましい。そうすることにより、脇部分を縫い合わせる二つ以上の縫い目の方向が、衣服の垂直方向Ｃに対して大きなバイアス方向でなくなるため、二つ以上の縫い目の間の生地の織糸の直交組織が大きく変形することがなく、二つ以上の縫い目の間に発生し易い斜めのシワを軽減することが出来るのである。通常、胸周り寸法と裾周り寸法の関係は、裾周り寸法のほうが短いことが多いので、図１に示すように、身頃の胸部分の幅より、裾部分の幅のほうが短くなる方向に脇部分Ｗを構成するよい。
【実施例】
【００１９】
実施例１
素材は、経糸および緯糸に綿１００％の８０番糸を双糸使いで経糸密度１４６本／２．５４ｃｍ、緯糸密度８０本／２．５４ｃｍの平織り生地を使用した。衣服デザインは一般的なドレスシャツし、前身頃は脇部分の脇下から裾までの間を直線で裁断した。このとき、脇の直線部分は、衣服の垂直方向に対して１度の傾きとした。一方、後身頃の脇部分は、腰回りの寸法が胸周り寸法および裾周り寸法より大きくなるように脇下から裾にかけて内側にくったラインで裁断した。このとき、胸回りの寸法は１１２ｃｍ、腰周りの寸法は１０４ｃｍ、裾周りの寸法は１０８ｃｍとした。脇部分の縫い目は、二本針二重環縫いミシンを用いて、図３にしめす縫い目形式で縫い合わせた。前身頃が脇部分の表側に折り重なるようにした。
得られたドレスシャツの脇部分の縫い目シワを、ＪＩＳ Ｌ １９０５（繊維製品のシームパッカリング評価方法）に基づく方法で評価した。
【００２０】
比較例１
前身頃の脇部分を後身頃と同様に脇下から裾にかけて内側にくったラインで裁断したこと以外は実施例１と同様にして本発明の比較例１のドレスシャツを得た。この時、脇下周辺の脇部分は、衣服の垂直の方向に対して４度、裾周辺の脇部分は、衣服の垂直の方向に対して３度であった。得られたドレスシャツについて、実施例と同じ評価を行った。
【００２１】
実施例１および比較例１を評価した結果、比較例１の脇部分の縫い目シワが２〜３級であるに対して、実施例１の脇部分の縫い目シワは４級であり。実施例１のほうが品位に優れるものであった。
【図面の簡単な説明】
【００２２】
【図１】本発明の衣服の前身頃の一態様を表す説明図である。
【図２】従来の衣服の前身頃の一形態を表す説明図である。
【図３】脇縫い目の一形態を表す説明図である。
【図４】脇縫い目の一形態を表す説明図である。
【図５】脇縫い目の一形態を表す説明図である。
【図６】脇縫い目の一形態を表す説明図である。
【符号の説明】
【００２３】
Ｆ  ：前身頃
Ｂ  ：後身頃
Ｗ  ：脇部分
Ｗ１：脇下
Ｗ２：脇裾
Ｊ  ：地縫い
Ｓ  ：ステッチ縫い
Ａ  ：生地端が引きつれる方向
Ｃ  ：衣服の垂直の方向
Ｒ  ：ＷとＣのなす角度
【図１】
2004339679.tif 000003
【図２】
2004339679.tif 000004
【図３】
2004339679.tif 000005
【図４】
2004339679.tif 000006
【図５】
2004339679.tif 000007
【図６】
2004339679.tif 000008